(57)【特許請求の範囲】
【請求項１】
周囲の照度値又は輝度値を検出する受光器を有し、当該受光器により検出された照度値又は輝度値に基づいて点灯指示を屋外に設置された照明装置に出力し当該照明装置を点灯すると共に、点灯後に前記照明装置を調光制御する照明制御装置において、
前記受光器により検出された照度値又は輝度値に基づいて、屋外の互いに異なる場所に配設されて照明する複数の前記照明装置に対して前記点灯指示を出力して点灯させ調光制御する制御手段と、
前記受光器により検出された照度値又は輝度値を、前記照明装置のそれぞれの設置場所の照度値又は輝度値に補正するための設置場所ごとに設けた補正データを記憶する記憶手段とを備え、
前記制御手段は、前記受光器により検出された照度値又は輝度値を前記設置場所ごとに設けた補正データにより補正した各設置場所の照度値又は輝度値に基づいて前記照明装置ごとに前記点灯指示を出力して点灯させ調光制御する
ことを特徴とする照明制御装置。
【請求項２】
前記受光器の劣化等による検出値のずれを補正する劣化補正データに基づいて、前記受光器により検出された検出値を補正した後の検出値に基づいて前記照明装置を制御するようにしたことを特徴とする請求項１に記載の照明制御装置。
【請求項３】
周囲の照度値又は輝度値を検出する受光器を有し、当該受光器により検出された照度値又は輝度値に基づいて点灯指示を屋外に設置された照明装置に出力し当該照明装置を点灯すると共に、点灯後に前記照明装置を調光制御する照明制御装置の照明制御方法において、
前記受光器により検出された照度値又は輝度値に基づいて、屋外の互いに異なる場所に配設されて照明する複数の前記照明装置に対して前記点灯指示を出力して点灯させ調光制御する場合に、
前記受光器により検出された照度値又は輝度値を前記照明装置のそれぞれの設置場所の照度値又は輝度値に補正するための設置場所ごとに設けた補正データに基づいて、前記受光器により検出された照度値又は輝度値を補正し、この補正した各設置場所の照度値又は輝度値に基づいて前記照明装置ごとに前記点灯指示を出力して点灯させ調光制御する
ことを特徴とする照明制御方法。
【発明の詳細な説明】
【技術分野】
【０００１】
本発明は、例えば高速度道路のインターチェンジやサービスエリア等に配設された照明装置を制御する照明制御装置および照明制御方法に関する。
【背景技術】
【０００２】
従来から、例えば高速度道路のインターチェンジやサービスエリア等に配設された照明装置を制御する照明制御装置にあっては、周囲の照度値を検出する照度検出器を有し、この照度検出器により検出された照度値が所定の照度以下になった場合に、照明装置に対して点灯指示を出力するように構成されている（例えば、特許文献１参照）。また、この種の照明制御装置では、一般に、互いに設置場所の異なる複数の照明装置の点灯を制御するように構成されている。
【特許文献１】特開平５−２６０６３７号公報
【発明の開示】
【発明が解決しようとする課題】
【０００３】
しかしながら、互いに異なる複数の照明装置を制御する場合には、それぞれの設置場所の照度を検出するために、設置場所の数だけの照度検出器が必要となり、装置コストが増大するといった問題がある。
本発明は、上述した事情に鑑みてなされたものであり、装置コストの増大を防止しつつ、複数の照明装置を制御することのできる照明制御装置および照明制御方法を提供することを目的とする。
【課題を解決するための手段】
【０００４】
上記目的を達成するために、本発明は、周囲の照度値又は輝度値を検出する受光器を有し、当該受光器により検出された照度値又は輝度値に基づいて点灯指示を屋外に設置された照明装置に出力し当該照明装置を点灯すると共に、点灯後に前記照明装置を調光制御する照明制御装置において、前記受光器により検出された照度値又は輝度値に基づいて、屋外の互いに異なる場所に配設されて照明する複数の前記照明装置に対して前記点灯指示を出力して点灯させ調光制御する制御手段と、前記受光器により検出された照度値又は輝度値を、前記照明装置のそれぞれの設置場所の照度値又は輝度値に補正するための設置場所ごとに設けた補正データを記憶する記憶手段とを備え、前記制御手段は、前記受光器により検出された照度値又は輝度値を前記設置場所ごとに設けた補正データにより補正した各設置場所の照度値又は輝度値に基づいて前記照明装置ごとに前記点灯指示を出力して点灯させ調光制御することを特徴とする。
【０００５】
また本発明は、上記発明において、前記受光器の劣化等による検出値のずれを補正する劣化補正データに基づいて、前記受光器により検出された検出値を補正した後の検出値に基づいて前記照明装置を制御するようにしたことを特徴とする。
【０００７】
また上記目的を達成するために、本発明は、周囲の照度値又は輝度値を検出する受光器を有し、当該受光器により検出された照度値又は輝度値に基づいて点灯指示を屋外に設置された照明装置に出力し当該照明装置を点灯すると共に、点灯後に前記照明装置を調光制御する照明制御装置の照明制御方法において、前記受光器により検出された照度値又は輝度値に基づいて、屋外の互いに異なる場所に配設されて照明する複数の前記照明装置に対して前記点灯指示を出力して点灯させ調光制御する場合に、前記受光器により検出された照度値又は輝度値を前記照明装置のそれぞれの設置場所の照度値又は輝度値に補正するための設置場所ごとに設けた補正データに基づいて、前記受光器により検出された照度値又は輝度値を補正し、この補正した各設置場所の照度値又は輝度値に基づいて前記照明装置ごとに前記点灯指示を出力して点灯させ調光制御することを特徴とする。
なお、本発明の照明制御方法においては、上記照度値に代えて輝度値を用いるようにしても良い。特に、ＣＣＤカメラ等のイメージセンサを用いて画像データから輝度を検出する構成とすることで、当該画像データから任意のポイントの輝度や、画像データにおける輝度の平均値を得ることができ、種々の輝度設定が可能となる。
【発明の効果】
【０００８】
本発明によれば、照度検出手段により検出された照度値を照度値補正データにより補正した照度値に基づいて照明装置のそれぞれを制御するため、照度検出手段を１台だけ備えるだけで、複数の照明装置のそれぞれを照度に応じて制御することが可能となり、装置コストを抑えることができる。
【発明を実施するための最良の形態】
【０００９】
以下、図面を参照して本発明の実施の形態について説明する。
図１は、本実施の形態に係る照明制御装置の概要構成を示す図である。照明制御装置１０は、図１に示すように、高速道路に設けられたサービスエリアやインターチェンジ等において互いに異なるエリアＡ１〜Ａ３に配設された複数の照明装置Ｌの点灯、消灯および調光を制御するものであり、これらの照明装置Ｌに対して点灯／消灯指示を示す点滅制御信号Ｃｎおよび調光制御信号Ｃｘを出力する制御部本体１１と、周囲環境の照度を検出して照度検出信号Ｄを制御部本体１１に出力する照度検出手段としての受光器１２とを備えて構成されている。
【００１０】
上記制御部本体１１の構成について詳細には、図２に示すように、マイクロコンピュータとして構成されて全体を制御する制御部回路２１と、制御部回路２１の制御下で受光器１２との間の通信を行う通信回路２２と、通信回路２２に接続される通信コネクタ部２３と、複数のリレー回路を有し、上記点滅制御信号Ｃｎを複数の照明装置Ｌに対して個別に出力するリレー出力端子回路２４と、このリレー出力端子回路２４に複数の照明装置Ｌを接続するためのコネクタ端子が設けられた制御コネク部２５と、ユーザに対し異常状態の告知を行うための異常検出信号を出力する異常出力回路２６と、異常出力回路２６を外部の警報装置（スピーカ、ランプなど）に接続するための異常出力コネクタ部２７と、外部の商用電源（１００／２００Ｖ）から電源端子２８を介して電力供給を受けて制御部本体１１全体に電力を供給する主電源回路２９と、受光器１２を駆動する電力を受光器電源コネクタ３１を介して受光器１２に供給する受光器用電源回路３２とを備えている。また、制御部本体１１は、通信回路２２、リレー出力端子回路２４、異常出力回路２６、主電源回路２９および受光器用電源回路３２と、通信コネクタ部２３、制御コネクタ部２５、異常出力コネクタ部２７および受光器電源コネクタ３１との間に介挿され、サージ電流や各種信号のノイズを除去するサージ・ノイズ対策素子／回路３０を備えている。
【００１１】
また、上記受光器１２は、照度を検出するための照度センサとして構成された受光素子４１と、受光素子４１が出力したセンサ出力信号をアナログ／ディジタル変換して照度検出信号Ｄとして通信コネクタ部４２および通信ラインＬＣを介して制御部本体１１に出力する通信回路４３と、受光器電源コネクタ３１、電源供給ラインＬＰおよび電源端子４４を介して受光器用電源回路３２から供給された電力に基づいて動作用電源を受光器１２全体に供給する電源回路４５とを備えて構成されている。また、この受光器１２は、通信回路４３および電源回路４５と、通信コネクタ部４２および電源端子４４との間に介挿され、サージ電流や各種信号のノイズを除去するサージ・ノイズ対策素子／回路４６を備えている。
上記制御コネクタ部２５は、３つの照明装置Ｌをそれぞれ制御するための３系統分の照明制御端子ＴＬＡ〜ＴＬＣと、これらの照明装置Ｌの調光を制御するための調光制御端子ＴＣＮと、照明制御端子ＴＬＡ〜ＴＬＣおよび調光制御端子ＴＣＮのコモン電極端子として機能するコモン端子ＴＣＭとを備えている。
【００１２】
また、制御部回路２１は、書換可能な不揮発性メモリであるＥＥＰＲＯＭ（以下、単にＲＯＭという）５０を有し、このＲＯＭ５０には、制御部回路２１が制御プログラムの他に、照明装置Ｌの点灯、消灯および調光を制御するための制御データ６０が格納されている。具体的には、本照明制御装置１０は、周囲の照度値に基づいて照明装置Ｌを点灯および消灯することとし、制御データ６０には、図３に示すように、照明装置Ｌの点灯条件となる点灯照度値Ｅａ、および、消灯条件となる消灯照度値Ｅｂが含まれている。
【００１３】
ところで、本実施の形態では、互いに異なる場所に配設された３つの照明装置Ｌの点灯および消灯を、１つの受光器１２で検出した照度値と上記点灯照度値Ｅａおよび消灯照度値Ｅｂに基づいて制御する構成としている。しかしながら、この構成においては、受光器１２が検出する照度値が必ずしも各照明装置Ｌの設置場所（より正確には照明するエリアＡ１〜Ａ３）の照度値を示すとは限らず、照明装置Ｌの点灯および消灯が上記点灯照度値Ｅａおよび消灯照度値Ｅｂとずれる恐れがある。
【００１４】
そこで本実施の形態では、前掲図３に示すように、受光器１２にて検出される照度値を各エリアＡ１〜Ａ３の照度値に補正するための照度値補正データＧが制御データ６０に設けられている。この照度値補正データＧはエリアＡ１〜エリアＡ３ごとに設けられており、受光器１２にて検出された照度値をＸ（ｌｘ：ルクス）、このときのエリアＡの照度値をＹ（ｌｘ）とした場合には、照度値補正データＧの補正値は（Ｙ／Ｘ）となっている。
【００１５】
そして、照明制御装置１０の制御部回路２１は、受光器１２で検出された照度値Ｘと上記点灯照度値Ｅａおよび消灯照度値Ｅｂに基づいて制御する場合、各エリアＡ１〜Ａ３の照度値補正データＧを用いて照度値Ｘを補正することで、各エリアＡ１〜Ａ３の実際の照度値を算出し、これらの実際の照度値に基づいて、各エリアＡ１〜Ａ３の照明装置Ｌの点灯および消灯を制御する。
【００１６】
これにより、１つの受光器１２にて周囲の照度値を検出し、この検出値に基づいて、互いに異なる場所に設置された複数の照明装置Ｌの点灯および消灯を制御する構成であっても、各照明装置Ｌの設置場所の照度に応じて点灯および消灯（すなわち点滅）を制御することが可能となる。また、照明装置Ｌの設置場所ごとに受光器１２を設ける必要も無いため、装置コストが低減される。
【００１７】
ところで、上記受光器１２の受光素子４１が劣化した場合、当該受光器１２にて検出される照度値Ｘと実際の照度値との間にずれが生じる恐れがある。この場合、受光器１２を校正するためには、当該受光器１２を現地から外し、製造メーカに送り校正してもらう等すると、手間と時間とコストがかかる。
そこで、本実施の形態では、図４に示すように、校正された照度計７０を用いて受光器１２に隣接した場所の照度値Ｚを測定すると共に、このときの受光器１２により検出される照度値Ｘを取得し、これら照度値ＺおよびＸに基づいて、受光器１２の劣化による照度値のずれを補正するための劣化補正値Ｈ（＝Ｚ／Ｘ）を算出し、この劣化補正値Ｈが、図３に示すように、制御データ６０としてＲＯＭ１３に格納される構成としている。そして、制御部回路２１は、受光器１２からの照度検出信号Ｄに基づいて照度値を検出した後、この検出した照度値に劣化補正値Ｈを乗じることで、劣化等の影響の無い、より正確な照度値を求めることとしる。
【００１８】
この劣化補正値Ｈは例えば１年ごとといったように定期的に更新されるのが望ましく、本実施の形態によれば、校正された照度計７０を受光器１２に隣接した場所に設置して測定するだけで、簡単かつ容易に劣化補正値Ｈを求めることができるため、当該劣化補正値Ｈの更新作業が容易となる。
【００１９】
このように、本実施の形態によれば、受光器１２により検出された照度値を、複数の照明装置Ｌのそれぞれの設置場所の照度値に補正する照度値補正データＧを予め記憶し、照明装置Ｌの制御動作時には、受光器１２により検出された照度値を照度値補正データＧにより補正した照度値に基づいて複数の照明装置Ｌのそれぞれを個別に制御するため、各照明装置Ｌの設置場所の照度に応じて正確に点灯および消灯を制御することが可能となる。また、照明装置Ｌの設置場所ごとに受光器１２を設ける必要も無いため、装置コストが低減される。
【００２０】
さらに、本実施の形態によれば、受光器１２の劣化等による検出値のずれを補正する劣化補正値Ｈに基づいて、受光器１２により検出された照度値を補正した後の照度値に基づいて照明装置Ｌを制御するようにしたため、より正確な照度値に基づいて照明装置Ｌを制御することができる。また、劣化補正値Ｈを求めておくだけで、受光器１２の劣化等による検出値のずれが補償されるため、受光器１２自体を校正したり、或いは、新規のものに交換する等の必要がなく、装置の維持コストを抑えることができる。
【００２１】
なお、上述した実施の形態は、あくまでも本発明の一態様を示すものであり、本発明の範囲内で任意に変形および応用が可能であることは勿論であり、例えば、受光器１２により輝度値を検出し、この輝度値に基づいて各照明装置Ｌを制御する構成としても良い。
【図面の簡単な説明】
【００２２】
【図１】本発明の実施の形態に係る照明制御装置の構成を模式的に示す図である。
【図２】照明制御装置の機能的構成を示すブロック図である。
【図３】制御データの内容を模式的に示す図である。
【図４】受光器の劣化等による検出値のずれの補正を説明するための図である。
【符号の説明】
【００２３】
１０  照明制御装置
１１  制御部本体
１２  受光器
２１  制御部回路
５０  ＥＥＰＲＯＭ
６０  制御データ
Ｇ  照度値補正データ
Ｈ  劣化補正値
Ｌ  照明装置
Ｌａ  ランプ
【図１】
0004790385.tif 000002
【図２】
0004790385.tif 000003
【図３】
0004790385.tif 000004
【図４】
0004790385.tif 000005